(57)【特許請求の範囲】
【請求項１】
複数のサブキャリアから構成され、前記複数のサブキャリアの一部がブランクサブキャリアに設定されたパイロットシンボルを自セルの基地局および他セルの基地局から受信する受信手段と、
前記自セルの基地局から受信された前記パイロットシンボルのブランクサブキャリア部分で、前記他セルの基地局から受信された前記パイロットシンボルを用いて前記他セルに対するセルサーチを行うセルサーチ手段と、を具備し、
前記セルサーチ手段は、前記ブランクサブキャリア部分で前記他セルのフレームタイミングの有無を確認して前記セルサーチを行う、
移動局装置。
【請求項２】
前記ブランクサブキャリア以外のサブキャリアのチャネル推定値によって前記ブランクサブキャリアのチャネル推定値を補間してチャネル推定を行う推定手段、をさらに具備する請求項１記載の移動局装置。
【請求項３】
移動局のハンドオーバーの開始が検知されたときに、パイロットシンボルを構成する複数のサブキャリアのうち一部のサブキャリアをブランクサブキャリアに設定する設定手段と、
前記ブランクサブキャリアを含む前記パイロットシンボルを前記移動局へ送信する送信手段と、を具備し、
前記設定手段は、他の基地局が設定するブランクサブキャリアと異なる周波数のサブキャリアを前記ブランクサブキャリアに設定する、
基地局装置。
【請求項４】
データシンボルを構成する複数のサブキャリアのうち前記ブランクサブキャリアと同一周波数のサブキャリアに、周波数変動が閾値未満の移動局へのデータを割り当てる割当手段、をさらに具備する請求項３記載の基地局装置。
【請求項５】
前記ブランクサブキャリアが設定されることにより減少する分の電力を前記ブランクサブキャリア以外のサブキャリアに分配する電力制御手段、をさらに具備する請求項３記載の基地局装置。
【請求項６】
前記設定手段は、前記ハンドオーバーの開始が検知されたときにのみ動作する請求項３記載の基地局装置。
【請求項７】
前記設定手段は、前記ブランクサブキャリアを前記複数のサブキャリアに対して満遍なく設定する請求項３記載の基地局装置。
【請求項８】
移動局におけるセルサーチ方法であって、
複数のサブキャリアから構成され、前記複数のサブキャリアの一部がブランクサブキャリアに設定されたパイロットシンボルを自セルの基地局および他セルの基地局から受信する受信工程と、
前記自セルの基地局から受信された前記パイロットシンボルのブランクサブキャリア部分で、前記他セルの基地局から受信された前記パイロットシンボルを用いて前記他セルに対するセルサーチを行うセルサーチ工程と、を具備し、
前記セルサーチ工程において、前記ブランクサブキャリア部分で前記他セルのフレームタイミングの有無を確認して前記セルサーチを行う、
セルサーチ方法。
【請求項９】
前記ブランクサブキャリアは、前記自セルの基地局において前記移動局のハンドオーバーの開始が検知されたときに設定される請求項８記載のセルサーチ方法。
【発明の詳細な説明】
【技術分野】
【０００１】
本発明は、マルチキャリア伝送における移動局装置、基地局装置およびセルサーチ方法に関する。
【背景技術】
【０００２】
Ｗ−ＣＤＭＡや第４世代における移動体通信技術として有望なＯＦＣＤＭ(Orthogonal Frequency and Code Division Multiplexing)方式においては、セルサーチにかかる時間を短縮するために３段階セルサーチ法が提案されている（例えば、非特許文献１参照）。以下、３段階セルサーチ法を用いたＯＦＣＤＭ方式の無線通信システムについて説明する。
【０００３】
図１は、従来の無線通信システムの一例を示す図である。図１において、移動局１１は、基地局１２、基地局１３または基地局１４のいずれかと通信を行う。基地局１２は、セル２２の範囲にある移動局と通信を行う。同様に、基地局１３は、セル２３の範囲にある移動局と通信を行い、基地局１４は、セル２４の範囲にある移動局と通信を行う。
【０００４】
図１において、基地局１２に位置登録されている移動局１１が移動し、セル２２（自セル）からセル２３またはセル２４（他セル）にハンドオーバーする場合、移動局１１は、他セルに関し、セル固有の識別コードであるスクランブリングコード、セルのフレームタイミング、その他の付加情報を基地局１２に報告する。これを他セルサーチという。ここで、他セルとは、移動局が自局に属さない基地局装置と通信可能な範囲を示す。
【０００５】
ＯＦＣＤＭ方式において他セルサーチを行う際に、移動局は第１段階として、受信信号のガードインターバル（ＧＩ）区間と有効シンボル区間との相関（ＧＩ相関）の特性を利用してＦＦＴタイミングの検出を行い、シンボルタイミング候補を得る。
【０００６】
ＦＦＴタイミングを検出後に、データを復号するためには、移動局は、フレームの先頭を知る必要がある。図２に示すようにフレームの前後にＣＰＩＣＨ（Common Pilot Channel）が時間多重されている場合には、移動局は、隣接するＣＰＩＣＨの位置を知ることでフレームタイミング（フレーム境界）を検出することができる。そこで、移動局は、第２段階として、検出されたシンボルタイミング候補に基づいて隣接するシンボル間で周波数軸方向の相関演算を行い、相関値の大小に基づいてフレームタイミングを検出する。
【０００７】
次いで第３段階では、移動局は、第２段階で検出されたＣＰＩＣＨとスクランブリングコードの全候補との相関をとり、相関値の大きさに基づいてスクランブリングコードの同定、つまりセルの特定を行う。
【０００８】
次に、従来の３段階セルサーチについてより具体的に説明する。図３は従来の３段階セルサーチのフロー図である。
【０００９】
図３において、ステップ（以下、「ＳＴ」という）３１では、セルサーチの第１段階であるＦＦＴタイミングの検出を行い、シンボルタイミングを検出する。
【００１０】
ＳＴ３１で検出した複数のＦＦＴタイミング候補ｋに対してｋ＝０のシンボルタイミングから順にＳＴ３３〜ＳＴ３８の処理を行う（ＳＴ３２）。また、シンボル毎にｉ＝０から順にＳＴ３４〜ＳＴ３６の処理を行う（ＳＴ３３）。
【００１１】
ＳＴ３４では、ＳＴ３１で検出されたシンボルタイミングに基づいて、隣接するシンボル間で周波数軸方向に相関演算する。そして、ＳＴ３５で全てのシンボルに対して相関処理が終わったか否かを確認する。もし全てのシンボルに対して相関処理が終わっていればＳＴ３８に進み、終わっていなければ、ＳＴ３６でｉ＝ｉ＋１として次のシンボルに移行して、再びＳＴ３４で次の隣接シンボル間の相関演算を行う。
【００１２】
ＳＴ３８では、ＳＴ３２で検出したすべてのＦＦＴタイミング候補全てに対して相関処理が終わったか否かを確認する。もし終わっていれば第２段階が終了したとしてＳＴ３９に進み第３段階の処理を行う。終わっていなければ第２段階を継続し、ＳＴ３７でｋ＝ｋ＋１として次のＦＦＴタイミング候補に移行して、再びＳＴ３３から第２段階の処理を行う。
【００１３】
ＳＴ３９では、ＳＴ３４で行った相関演算により得られた相関値が所定の閾値以上か否か判定する。そして、所定の閾値以上となる相関値に対応する隣接シンボル間の境界をフレームタイミング候補とし、相関値の大きい順に並び替える。
【００１４】
ＳＴ４０では、ＳＴ３９で並び替えられたフレームタイミング候補に基づき、自セルのスクランブリングコード以外の全てのスクランブリングコード候補と受信信号との相関演算を行う。そして、ＳＴ４１で、この相関演算で得られた相関値の中で最大の相関値が所定の閾値以上かどうかを判定する。もし、最大相関値が閾値未満の場合は、ＳＴ４２でｊ＝ｊ＋１として、次のフレームタイミング候補に対して再びＳＴ４０の相関演算を行う。一方、最大相関値が閾値以上の場合には、ＳＴ４３で、この最大相関値のスクランブリングコードを他セルのスクランブリングコードとして同定し、セルサーチを終了する。
【非特許文献１】丹野、新、樋口、佐和橋:「下りリンクブロードバンドＯＦＣＤＭにおける共通パイロットチャネルを用いた３段階高速セルサーチ法の特性」、電子情報通信学会技術研究報告、RCS2002-107、 pp.99-104（2002年7月）
【発明の開示】
【発明が解決しようとする課題】
【００１５】
しかしながら、上記従来の３段階セルサーチでは、自セルからの信号も含めた信号で他セルサーチを行っている。したがって、他セルサーチの第２段階において、自セルのフレームタイミングと他セルのフレームタイミングとが一致しているかどうかを判定することができない。したがって、図４のように自セルのフレームタイミングと他セルのフレームタイミングが同一タイミングの場合は、自セルのフレームタイミングを他セルのフレームタイミングとすることができるが、図５のように自セルのフレームタイミングと他セルのフレームタイミングが異なる場合は、自セルのフレームタイミングを他セルのフレームタイミングとして誤検出してしまう。つまり、他セルだけの信号でセルサーチをしていないので自セルを他セルとして誤検出してしまい、無駄なセルサーチ処理が発生する可能性がある。
【００１６】
本発明の目的は、他セルサーチを高速に行うことのできる移動局装置、基地局装置およびセルサーチ方法を提供することである。
【課題を解決するための手段】
【００１７】
本発明では、移動局がハンドオーバーを開始するときに、自セルの基地局が、パイロットシンボルであるＣＰＩＣＨを構成する複数のサブキャリアのうち一部のサブキャリアを送信しないようにして、移動局が、その送信しないサブキャリアで他セルの基地局から送信された信号だけを検出できるようにした。これにより自セルのフレームタイミングと他
セルのフレームタイミングが一致しているかどうかを判定することができる。そのため、移動局は、図６に示すように他セルのフレームタイミングと自セルのフレームタイミングとが同一である場合は、自セルのフレームタイミング（すなわち、他セルのフレームタイミング）でセルサーチ処理を行う一方で、図７に示すように他セルのフレームタイミングと自セルのフレームタイミングとが異なる場合は、自セルのフレームタイミングでセルサーチ処理を行わない。これにより、従来の他セルサーチ法と比較して無駄な処理を省ける。
【発明の効果】
【００１８】
本発明によれば、ＯＦＣＤＭ方式を用いた通信システムにおいて他セルサーチを高速かつ正確に行うことができる。
【発明を実施するための最良の形態】
【００１９】
以下、本発明の実施の形態について、図面を参照して詳細に説明する。
【００２０】
図８は、本発明の一実施の形態に係る基地局装置の構成を示すブロック図である。図８に示す基地局装置の送信側において、スクランブリング部３０１は、パイロットシンボルをセル固有のスクランブリングコードを使用してスクランブリングしてＳ／Ｐ部３０２に入力する。Ｓ／Ｐ部３０２は、スクランブリング部３０１から直列に入力されるシンボルを並列に変換してサブキャリア設定部３０３に入力する。Ｓ／Ｐ部３０２は、シンボルを構成する複数のサブキャリア数分のシンボルが直列に入力される度に、それらのシンボル
を並列に変換して複数のサブキャリアの各々に割り当てる。サブキャリア設定部３０３はサブキャリア選択部３０４で選択されたサブキャリアをブランクにする。つまり、サブキャリア設定部３０３はサブキャリア選択部３０４で選択されたサブキャリアを送信ＯＦＦにして送信対象から除外する。以下、送信ＯＦＦされてブランクとなるサブキャリアをブランクサブキャリアという。全サブキャリアのうちの一部がサブキャリア設定部３０３によってブランクサブキャリアに設定され、ブランクサブキャリア以外のサブキャリアが電力制御部３２４に入力される。サブキャリア設定部３０３及びサブキャリア選択部３０４に関しての詳細は後述する。
【００２１】
ブランクサブキャリアを設けることにより１シンボル当たりの電力が小さくなるので、他セルサーチの第１段階でＧＩ相関をとる際のタイミング検出精度の劣化が生じることがある。そこで、電力制御部３２４は、図９Ａ（電力制御前）および図９Ｂ（電力制御後）に示すように、ブランクサブキャリアにより減少した分の電力を、ブランクサブキャリア以外のサブキャリアの電力を上げることで補う。つまり、電力制御部３２４は、ブランクサブキャリアにより減少した分の電力を、ブランクサブキャリア以外のサブキャリアに分配する。このようにして電力を分配することで、ブランクサブキャリアを設定したことによる電力低下をブランクサブキャリア以外のサブキャリアの電力で補って、１シンボル当たりの電力を一定に保つことができるため、電力低下に伴う相関値の誤差増大を抑えることができる。電力制御後のブランクサブキャリアを含んだ各サブキャリアは、ＩＦＦＴ部３０５でＩＦＦＴ（逆高速フーリエ変換）される。そして、ＩＦＦＴ後のパイロットシンボルに対してＧＩ挿入部３０６でガードインターバルが挿入される。
【００２２】
一方、各移動局１〜Ｎのデータは符号化部３０７−１〜３０７−Ｎで符号化される。変調部３０８−１〜３０８−Ｎは、符号化されたデータからシンボルを作成し、その作成したシンボルをＩ−Ｑ平面上の複数の信号点のいずれかに配置することによりデータを変調する。スクランブリング部３０９−１〜３０９−Ｎは、変調後のシンボルをスクランブルする。
【００２３】
Ｓ／Ｐ部３１０−１〜３１０−Ｎは、スクランブリング部３０９から直列に入力されるシンボルを並列に変換して割当部３１１に入力する。Ｓ／Ｐ部３１０−１〜３１０−Ｎから出力された各移動局の信号は割当部３１１で処理される。この際、割当部３１１は、サブキャリア選択部３０４からブランクサブキャリアの位置情報を入力され、また、周波数変動測定部３２２から周波数変動値を入力されて、ブランクサブキャリアと同一周波数のサブキャリアに周波数変動の少ない移動局（すなわち、周波数変動が所定の閾値未満の移動局）のデータを割り当てる。これにより、ブランクサブキャリア部分では高精度なチャネル推定を行う必要がなくなり、ブランクサブキャリア以外の残りのサブキャリアによるサブキャリア補間を利用したチャネル推定で十分となる。
【００２４】
割当部３１１の出力信号に対してはＩＦＦＴ部３１２で逆高速フーリエ変換処理が行われる。そして、ＩＦＦＴ後のデータシンボルに対してＧＩ挿入部３１３でガードインターバルが挿入される。
【００２５】
多重化部３１４は、ＧＩ挿入後のパイロットシンボルとＧＩ挿入後のデータシンボルとを時間多重する。時間多重された信号は、送受信共用器３１５でアップコンバート等の所定の無線処理が施され、アンテナ３１６から無線送信される。
【００２６】
図８に示す基地局の受信側では、移動局装置から送信されたシンボルがアンテナ３１６で受信され、送受信共用器３１５でダウンコンバート等の所定の無線処理を施され、ＧＩ除去部３１７でガードインターバルを除去され、ＦＦＴ処理部３１８で高速フーリエ変換処理が施され、分割部３１９に入力される。
【００２７】
分割部３１９は、ＦＦＴ処理部３１８からの出力信号を移動局毎に分割し、デスクランブリング部３２０−１〜３２０−Ｎは、各移動局１〜Ｎのデータをデスクランブリングする。チャネル推定部３２１−１〜３２１−Ｎは、デスクランブリング部３２０−１〜３２０−Ｎの出力信号に対してパイロット信号を使ったチャネル推定を行う。そして、各移動局のチャネル推定結果が、チャネル推定部３２１−１〜３２１−Ｎから周波数変動測定部３２２−１〜３２２−Ｎに入力される。そして、周波数変動測定部３２２−１〜３２２−Ｎは、隣接するサブキャリア毎にチャネル推定値の差分を計算し、その差分の値を全サブキャリアで平均化した値を周波数変動値とする。そして、周波数変動測定部３２２−１〜３２２−Ｎは、この周波数変動値を割当部３１１に入力する。割当部３１１は、入力された周波数変動値に基づき、図１０に示すように、周波数変動の小さい移動局（すなわち、周波数変動が閾値未満の移動局）のデータをブランクサブキャリアと同一周波数のサブキャリアに割り当てる。このように割り当てることで、ブランクサブキャリア部分での周波数変動を低減することができるため、チャネル推定の精度を向上させることができる。
【００２８】
チャネル推定部３２１−１〜３２１−Ｎで得られたチャネル推定結果は復調・復号部３２３−１〜３２３−Ｎに入力される。復調・復号部３２３−１〜３２３−Ｎは、入力されたチャネル推定結果を用いて、各移動局のデータを取り出す。これにより、移動局１〜Ｎ各々の受信データが得られる。
【００２９】
次いで、サブキャリア設定部３０３及びサブキャリア選択部３０４に関して詳細に説明する。サブキャリア選択部３０４では、移動局から送信されたハンドオーバーの開始を示す通知信号（ＨＯ通知信号）により、移動局のハンドオーバーの開始が検知されると、移動局が他セルサーチのために他セル信号のみを受信してセルサーチを行えるように、パイロットシンボルの全サブキャリアの中からブランクサブキャリアを選択する。サブキャリア設定部３０３は、サブキャリア選択部３０４で選択されたサブキャリアをブランクサブキャリアに設定して送信ＯＦＦにする。サブキャリア設定部３０３及びサブキャリア選択部３０４は、移動局のハンドオーバーの開始が検知されたときにのみ動作して消費電力の低減を図る。また、選択されるブランクサブキャリアは基地局毎にランダムに選択される。これは、自セルのブランクサブキャリア位置に他セルのブランクサブキャリア位置が重なると他セルのみのフレームタイミングを正確に検出することができないので、ブランクサブキャリアの位置が基地局間においてなるべく重ならないようにするためである。図１１に自セル、他セル１および他セル２の各セルにおけるパイロットシンボルのサブキャリアの構成を示す。図１１に示すように、自セルのブランクサブキャリアと他セルのブランクサブキャリアとが同一周波数にならないようにブランクサブキャリアが選択される。このようにしてセル間において互いに異なる周波数のサブキャリアをブランクサブキャリアに設定することで、移動局では受信可能な他セルの信号が全て検出可能となるので、精度の高い他セルサーチを行うことができる。また、各セルにおいて、周波数軸上でブランクサブキャリアを連続的に選択するのではなく、周波数軸上で間欠的にブランクサブキャリアを選択する。このようにして間欠的に選択することで、サブキャリア全体に対して満遍なくブランクサブキャリアを設定することができるため、チャネル推定におけるサブキャリア補間の精度を向上させることができる。サブキャリア選択部３０４で選択されたブランクサブキャリアのパターンを示すパターン情報は移動局装置への報知情報として送受信共用器３１５を通してアンテナ３１６から送信される。
【００３０】
次に、図８に示す基地局装置から送信された信号を受信する移動局装置の構成について説明する。図１２は、本発明の一実施の形態に係る移動局装置の構成を示すブロック図である。
【００３１】
図１２に示す移動局装置では、図８に示す基地局装置から送信された信号が、アンテナ
４０１で受信され、送受信共用器４０２でダウンコンバートなどの所定の無線処理を施され、ＦＦＴタイミング検出部４０３に入力される。他セルサーチ時には、ＦＦＴタイミング検出部４０３においてセルサーチの第１段階処理であるＦＦＴタイミングの検出が行われる。ＦＦＴタイミングは、上記のように、ＧＩ相関の特性を利用して得られる。シンボルタイミング検出後の信号はＧＩ除去部４０４に入力される。ＧＩ除去部４０４では、ＦＦＴタイミング検出部４０３で検出されたシンボルタイミングに基づいて、入力された信号のＧＩを除去する。そして、ＦＦＴ処理部４０５で、ＧＩ除去後の信号に対して高速フーリエ変換処理（ＦＦＴ処理）が行われる。
【００３２】
ＦＦＴ処理部４０５の出力信号はフレームタイミング検出／コード同定部４０６に入力され、セルサーチにおける第２段階処理であるフレームタイミングの検出及び第３段階処理であるスクランブリングコードの同定処理が行われる。この際に使用する自セルのシンボルタイミングはセルサーチにより移動局が既知な情報であり、シンボルタイミング記憶部４１７から得られる。また、自セルの基地局のブランクサブキャリアのパターン情報がアンテナ４０１で受信される。フレームタイミング検出及びスクランブリングコード同定処理の詳細に関しては後述する。 
【００３３】
他セルサーチ後は、受信信号に対して、ＧＩ除去部４０７でガードインターバルが除去され、ＦＦＴ処理部４０８で高速フーリエ変換処理が行われる。得られたデータは、フレームタイミング検出／コード同定部４０６により同定されたスクランブリングコードを用いてデスクランブリング部４０９でデスクランブリングされる。チャネル推定部４１０はデスクランブリング部４０９の出力信号の中のパイロット信号を用いてチャネル推定を行う。パイロットであるＣＰＩＣＨにはブランクサブキャリアが設定されているため、ブランクサブキャリアにおけるチャネル推定の精度が劣化してしまう。そこで、チャネル推定部４１０は、ブランクサブキャリア以外のサブキャリアのチャネル推定値によってブランクサブキャリアのチャネル推定値を補間することでチャネル推定の劣化を防ぐ。チャネル推定部４１０の出力信号に対しては、復調部４１１、復号部４１２でそれぞれ復調及び復号処理が行われる。これにより、受信データが取り出される。
【００３４】
また、ＣＩＲ測定部４１３において復調部４１１の出力信号の中のパイロット信号を用いてＣＩＲを測定し、測定結果をＣＩＲ判定部４１４に出力する。ＣＩＲ判定部４１４は、ＣＩＲ測定部４１３で測定されたＣＩＲと所定の閾値との大小判定を行い、判定結果をＨＯ（ハンドオーバー）通知信号生成部４１５に出力する。ＣＩＲの測定は複数シンボルにわたって平均化を行うことでＣＩＲの精度を上げる。
【００３５】
ＨＯ通知信号生成部４１５は、ＣＩＲ測定部４１３で測定されたＣＩＲが所定の閾値未満の場合、ハンドオーバーの開始を基地局に通知するためのＨＯ通知信号を生成し、送信処理部４１６に入力する。ＨＯ通知信号は、送信処理部４１６で変調され、送受信共用器４０２を介してアンテナ４０１から送信される。
【００３６】
次に、図１２に示すフレームタイミング検出／コード同定部４０６の構成について説明する。図１３は本発明の一実施の形態に係る移動局装置のフレームタイミング検出／コード同定部の構成を示すブロック図である。
【００３７】
図１３において、ＦＦＴ処理部４０５からの出力シンボルが、Ｓ／Ｐ部５０１でシンボル毎に直列信号から並列信号に変換される。Ｓ／Ｐ部５０１は、並列信号を隣接シンボル間相関演算部５０３に出力する。また、Ｓ／Ｐ部５０１は、入力される自セルのＣＰＩＣＨ（パイロット信号）のタイミングと並列信号のシンボルタイミングとが同一の場合、そのタイミングをブランクサブキャリア相関演算部５０２に出力する。ブランクサブキャリア相関演算部５０２は、自セルのフレームタイミングと同一タイミングの他セル信号があ
るかどうか判断する。
【００３８】
ブランクサブキャリア相関演算部５０２は、自セルの基地局からブランクサブキャリアのパターン情報をもらい、図１４に示すように、自セル信号の隣接するＣＰＩＣＨシンボルのブランクサブキャリア間で相関演算を行い、相関値を相関値比較部５０５に出力する。
【００３９】
隣接シンボル間相関演算部５０３では、隣接するシンボル間で周波数方向の相関演算を行う。ここでコードグループ記憶部５０４から出力されるコードグループ系列が隣接シンボル間相関演算部５０３に入力される。隣接シンボル間相関演算部５０３での相関演算は、コードグループ候補と隣接する２つのシンボルとを用いて行われる。この相関演算は全てのコードグループ系列に対して行われ、相関値が最も大きいコードグループ系列が隣接シンボル間でのコードグループ候補とされる。計算結果である相関値、コードグループ候補及びシンボルデータは相関値比較部５０５に出力される。
【００４０】
相関値比較部５０５は、隣接シンボル間相関演算部５０３から入力される相関値を比較し、最大の相関値をもつ隣接シンボルの境界を他セルのフレームタイミングとして検出する。また、相関値比較部５０５は、コードグループを同定する。この際に、相関値比較部５０５は、選択される他セルのフレームタイミングが自セルのフレームタイミングと同一の場合は、自セルのＣＰＩＣＨにあるブランクサブキャリアでの相関値から他セルのフレームタイミングを検出する。つまり、相関値比較部５０５は、ブランクサブキャリア相関演算部５０２の相関値が所定の閾値未満の場合は、自セルのフレームタイミングと同一の他セルのフレームタイミングはないと判断し、自セルのフレームタイミング以外で最大の相関値を持つフレームタイミングを他セルのフレームタイミングとして検出する。逆に相関値が閾値以上の場合は、相関値比較部５０５は、他セルのフレームタイミングは自セルのフレームタイミングと同一であると判断して、自セルのフレームタイミングを他セルのフレームタイミングとして検出する。このような判断を行うことで、自セルのフレームタイミングを誤って他セルのフレームタイミングとして検出してしまうことを防止することができる。
【００４１】
スクランブリングコード同定部５０６は、相関値比較部５０５で検出された他セルのフレームタイミングで他セルのＣＰＩＣＨを特定し、相関値比較部５０５で同定されたコードグループに属するスクランブリングコード候補をスクランブリングコード群記憶部５０７から得る。スクランブリングコード同定部５０６は、全てのスクランブリングコード候補に対してＣＰＩＣＨのレプリカを作り受信信号との相関をとる。スクランブリングコード同定部５０６は最大相関値を与えるスクランブリングコードを所望のスクランブリングコードとして決定する。
【００４２】
次に、本実施の形態に係る移動局装置の動作について図１５を用いて説明する。
【００４３】
図１５において、ＳＴ８０１では、移動局がハンドオーバー開始時にＨＯ通知信号を自セルの基地局に送信する。このＨＯ通知信号を受信した自セルの基地局では、図８のサブキャリア選択部３０４が、他セルサーチ用に特定のパターンでブランクサブキャリアを選択する。
【００４４】
ＳＴ８０２では、セルサーチの第１段階として、図１２のＦＦＴタイミング検出部４０３が、受信信号のＦＦＴタイミングの検出を行い、シンボルタイミングを検出する。
【００４５】
ＳＴ８０３では、第１段階で検出されたＦＦＴタイミング候補に基づいてｋ＝０から順にＳＴ８０４以降の処理を行う。 
【００４６】
ＳＴ８０４では、移動局は、自セルの基地局が送信するブランクサブキャリアのパターン情報を受信する。このブランクサブキャリアのパターン情報は図１３のブランクサブキャリア相関演算部５０２に入力されるものである。そして、ＳＴ８０２で得られたシンボルタイミングに基づいて、隣接するシンボル毎にＳＴ８０６〜ＳＴ８０９、ＳＴ８１１の処理を行う（ＳＴ８０５）。
【００４７】
ＳＴ８０６では、図１３のＳ／Ｐ部５０１において、隣接するシンボルのシンボルタイミングが自セルのＣＰＩＣＨのシンボルタイミングと同一かどうかを判定する。もし隣接するシンボルのシンボルタイミングと自セルのＣＰＩＣＨのシンボルタイミングとが同一であればＳＴ８０８に進む。一方、もし隣接するシンボルのシンボルタイミングと自セルのＣＰＩＣＨのシンボルタイミングとが同一でなければＳＴ８０９に進む。
【００４８】
ＳＴ８０８では、隣接するシンボルのシンボルタイミングと自セルのＣＰＩＣＨのシンボルタイミングとが同一であるので、隣接するシンボルには自セルのＣＰＩＣＨシンボルにあるブランクサブキャリアが含まれる。ブランクサブキャリア位置には他セルの信号のみが存在するので、図１３のブランクサブキャリア相関演算部５０２においてブランクサブキャリア位置で隣接シンボル間の相関演算を行うことで、他セルのフレームタイミングが自セルのフレームタイミングと一致しているかどうかが分かる。図１６および図１７にフレームタイミング（フレーム境界）とブランクサブキャリアとの関係を示す。図１６は自セルのフレームタイミングと他セルのフレームタイミングとが同一の場合であり、図１７は自セルのフレームタイミングと他セルのフレームタイミングとが異なる場合である。図１６に示すように、相関値が所定の閾値以上の場合は、自セルのフレームタイミングと他セルのフレームタイミングとが同一であると判断することができる。一方、図１７に示すように、相関値が閾値未満の場合は、自セルのフレームタイミングと他セルのフレームタイミングとが異なると判断することができる。このように自セルの隣接ＣＰＩＣＨシンボルのブランクサブキャリア間で相関演算を行うことにより、他セル信号のみを用いてフレームタイミングの検出を行うことができる。
【００４９】
ＳＴ８０９では、図１３の隣接シンボル間相関演算部５０３において、全ての隣接するシンボル間で周波数軸方向に相関演算を行う。
【００５０】
ＳＴ８１１では、全てのシンボルに対して相関演算が行われたかどうかを確認する。全てのシンボルに対して相関演算を終了していたらＳＴ８１２に進む。もし、全てのシンボルに対して相関演算を終了していなければＳＴ８０７に進みｉ＝ｉ＋１とし、次のシンボルに対するＳＴ８０６での相関演算を行う。
【００５１】
ＳＴ８１２では、全てのＦＦＴタイミング候補に対しての相関処理は終わったかどうかを確認する。全てのＦＦＴタイミング候補に対しての相関処理が終わった場合、ＳＴ８１３に進む。一方、全てのＦＦＴタイミング候補に対しての相関処理が終わっていない場合、ＳＴ８１０に進んでｋ＝ｋ＋１としてＳＴ８０５に戻り、次のＦＦＴタイミング候補に対して再び隣接シンボル間の相関演算を行う。
【００５２】
ＳＴ８１３では、図１３の相関値比較部５０５が、ＳＴ８０９において全てのＦＦＴタイミング候補に対して求められた相関値と閾値とを比較し、相関値が閾値以上の場合、その相関値を持つ隣接シンボル間の境界をフレームタイミング候補Ｔとする。この相関値が大きい順にフレームタイミング候補が選択され、ＳＴ８１４で処理される。
【００５３】
ＳＴ８１４では、フレームタイミング候補Ｔが自セルのフレームタイミングと同一かどうかを判定する。もし、フレームタイミング候補Ｔが自セルのフレームタイミングと同一
であれば、ＳＴ８１５に進む。もし、フレームタイミング候補Ｔが自セルのフレームタイミングと同一でなければ、ＳＴ８１８に進む。
【００５４】
ＳＴ８１５では、フレームタイミング候補Ｔと自セルのフレームタイミングが同一であるので、自セル信号のＣＰＩＣＨにあるブランクサブキャリアにおいて隣接シンボル間で周波数軸方向の相関演算を行うことで、他セルのフレームタイミングが自セルのフレームタイミングと同じかどうかを確認する。ブランクサブキャリアで求めた相関値が所定の閾値以上の場合は、自セルのフレームタイミング位置に他セルのフレームタイミングが存在すると考えられるので、ＳＴ８１８に進んで、フレームタイミング候補Ｔｊを他セルのフレームタイミング候補とする。一方、ブランクサブキャリア位置での相関値が所定の閾値未満の場合は、ＳＴ８１６に進んでｊ＝ｊ＋１とし、次のフレームタイミング候補Ｔｊ＋１に対してＳＴ８１４の処理を行う。
【００５５】
ＳＴ８１９では、図１３のスクランブリングコード同定部５０６で全てのスクランブリングコード候補に対して相関演算を行い、ＳＴ８２０で相関値が所定の閾値以上かどうかを判定し、相関値が閾値未満であればＳＴ８２２において、全てのフレームタイミング候補Ｔｊに対して処理を行ったかどうかを判定する。もし、処理が終了していなければ、ＳＴ８１７に進んでｊ＝ｊ＋１とし、ＳＴ８１４に戻り次のフレームタイミング候補Ｔｊ＋１に対してスクランブリングコード同定処理を行う。もし、処理が終了していれば、自セルのブランクサブキャリアの位置と他セルのブランクサブキャリアの位置が重なっていると判断して、ＳＴ８２３において自セルの基地局に対してブランクサブキャリアの位置を変更するように通知してＳＴ８０４に戻り、第２段階のフレームタイミングの検出を行う。ＳＴ８２０において相関値が閾値以上であれば、検出されたフレームタイミング候補およびスクランブリングコードは所望の他セルのものであると判定して他セルサーチを終了する。
【００５６】
以上説明したように、本実施の形態によれば、正確に他セルの信号のみを使ったセルサーチができるため、他セルのフレームタイミングの誤検出を防ぐことができる。
【００５７】
また、本実施の形態によれば、自セルのパイロット信号に他セルサーチ用のブランクサブキャリアを設けるため、セルサーチの第２段階でのフレームタイミング検出処理を軽減することができる。
【００５８】
なお、上記実施の形態における基地局装置は‘Node B’、移動局装置は‘UE’、サブキャリアは‘トーン（Tone）’と表されることがある。
【００５９】
また、上記実施の形態の説明に用いた各機能ブロックは、典型的には集積回路であるＬＳＩとして実現される。これらは個別に１チップ化されても良いし、一部又は全てを含むように１チップ化されても良い。
【００６０】
ここでは、ＬＳＩとしたが、集積度の違いにより、ＩＣ、システムＬＳＩ、スーパーＬＳＩ、ウルトラＬＳＩと呼称されることもある。
【００６１】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００６２】
さらには、半導体技術の進歩又は派生する別技術によりＬＳＩに置き換わる集積回路化の技術が登場すれば、当然、その技術を用いて機能ブロックの集積化を行っても良い。バ
イオ技術の適応等が可能性としてありえる。
【００６３】
本明細書は、２００４年７月１６日出願の特願２００４−２１０６６１に基づくものである。この内容はすべてここに含めておく。
【産業上の利用可能性】
【００６４】
本発明は、移動体通信システムにおいて使用される無線移動局装置や無線通信基地局装置等に好適である。
【図面の簡単な説明】
【００６５】
【図１】従来の無線通信システムの一例を示す図
【図２】従来のフレームフォーマットを示す図
【図３】従来の３段階セルサーチのフロー図
【図４】従来のフレームタイミング検出の説明図（他セルのフレームタイミングと自セルのフレームタイミングとが同一である場合）
【図５】従来のフレームタイミング検出の説明図（他セルのフレームタイミングと自セルのフレームタイミングとが異なる場合）
【図６】本発明のセルサーチ処理の説明図（他セルのフレームタイミングと自セルのフレームタイミングとが同一である場合）
【図７】本発明のセルサーチ処理の説明図（他セルのフレームタイミングと自セルのフレームタイミングとが異なる場合）
【図８】本発明の一実施の形態に係る基地局装置の構成を示すブロック図
【図９Ａ】本発明の一実施の形態に係るパイロット信号の電力制御図（電力制御前）
【図９Ｂ】本発明の一実施の形態に係るパイロット信号の電力制御図（電力制御後）
【図１０】本発明の一実施の形態に係る送信データ信号の割り当て図
【図１１】本発明の一実施の形態に係る送信パイロット信号のサブキャリア構成図
【図１２】本発明の一実施の形態に係る移動局装置の構成を示すブロック図
【図１３】本発明の一実施の形態に係る移動局装置のフレームタイミング検出／コード同定部の構成を示すブロック図
【図１４】本発明の一実施の形態に係るフレームフォーマットを示す図
【図１５】本発明の一実施の形態に係る移動局装置の動作を示すフロー図
【図１６】本発明の一実施の形態に係るフレームタイミングとブランクサブキャリアとの関係を示す図（自セルのフレームタイミングと他セルのフレームタイミングとが同一の場合）
【図１７】本発明の一実施の形態に係るフレームタイミングとブランクサブキャリアとの関係を示す図（自セルのフレームタイミングと他セルのフレームタイミングとが異なる場合）
【図１】
0004437139.tif 000002
【図２】
0004437139.tif 000003
【図３】
0004437139.tif 000004
【図４】
0004437139.tif 000005
【図５】
0004437139.tif 000006
【図６】
0004437139.tif 000007
【図７】
0004437139.tif 000008
【図８】
0004437139.tif 000009
【図９Ａ】
0004437139.tif 000010
【図９Ｂ】
0004437139.tif 000011
【図１０】
0004437139.tif 000012
【図１１】
0004437139.tif 000013
【図１２】
0004437139.tif 000014
【図１３】
0004437139.tif 000015
【図１４】
0004437139.tif 000016
【図１５】
0004437139.tif 000017
【図１６】
0004437139.tif 000018
【図１７】
0004437139.tif 000019